(57)【要約】【課題】温室制御装置において、簡単な構成で温室の除湿を制御する。【解決手段】温室を暖房する暖房手段と、上記温室を換気する換気手段とを制御する温室制御装置において、暖房手段の暖房により上昇する上記温室の温度が、設定された暖房上限温度に達したとき（Ｓ５，Ｓ７）、上記換気手段により上記温室を換気させ除湿すると共に（Ｓ６，Ｓ８）、上記暖房手段による暖房が続行している場合にはこの暖房を停止させ（Ｓ８）、上記換気手段の換気により下降する上記温室の温度が、設定された換気停止温度に達したとき（Ｓ９）、上記換気手段による換気を停止させる（Ｓ１０）構成とする。【選択図】図２
2008113618.tif 000002
【特許請求の範囲】
【請求項１】
温室を暖房する暖房手段と、前記温室を換気する換気手段とを制御する温室制御装置において、
前記暖房手段の暖房により上昇する前記温室の温度が、設定された暖房上限温度に達したとき、前記換気手段により前記温室を換気させ除湿すると共に、前記暖房手段による暖房が続行している場合には該暖房を停止させ、
前記換気手段の換気により下降する前記温室の温度が、設定された換気停止温度に達したとき、前記換気手段による換気を停止させることを特徴とする温室制御装置。
【請求項２】
前記換気手段は、前記温室の壁面の一部を開放させることにより前記温室を換気させ除湿することを特徴とする請求項１記載の温室制御装置。
【請求項３】
前記温室制御装置は、前記温室の壁面の一部の開放度合いを設定可能であることを特徴とする請求項２記載の温室制御装置。
【請求項４】
前記温室は、その内部に設けられた仕切部によって、前記暖房手段により暖房される暖房領域と、前記暖房手段により暖房されない非暖房領域とに仕切られ、
前記暖房手段の暖房により上昇する前記暖房領域の温度が、前記暖房上限温度に達したとき、前記換気手段により前記仕切部を開放させ前記暖房領を除湿すると共に、前記暖房手段による暖房が続行している場合には該暖房を停止させ、
前記仕切部の開放により下降する前記暖房領域の温度が、前記換気停止温度に達したとき、前記仕切部の開放を停止させることを特徴とする請求項１記載の温室制御装置。
【請求項５】
前記温室制御装置は、前記仕切部を開放させる際に前記温室の壁面の一部をも開放させることにより、前記暖房領域を除湿することを特徴とする請求項４記載の温室制御装置。
【請求項６】
前記温室制御装置は、前記仕切部の開放度合いを設定可能であることを特徴とする請求項５記載の温室制御装置。
【発明の詳細な説明】
【技術分野】
【０００１】
本発明は、ガラス温室、ビニルハウス等の温室の暖房及び除湿を制御する温室制御装置に関し、更に詳しくは、簡単な構成で温室の除湿を制御する温室制御装置に関する。
【背景技術】
【０００２】
従来より、温室において植物を栽培する、いわゆる施設園芸が広く行われている。上記の施設園芸では、栽培する植物に適した温度条件及び湿度条件が必要となる。ここで、温室の湿度は、植物等から発生する水分に起因して、除湿なくしては下げられないのが通常であり、適宜除湿を行う必要が生じる。
【０００３】
温室における除湿には、換気除湿、暖房除湿及び送風除湿が主に用いられている。このうち暖房除湿は、温室の温度を上昇させて、温度に対する相対湿度を下げるものである。また、送風除湿は、送風により温室内において湿度を均一化させるものである。そのため、これら暖房除湿及び送風除湿は、直接的に温室内の水分量を下げるものではない。
【０００４】
一方、換気除湿は、温室内の空気を入れ換える手法であり、温室の水分量を下げることにより湿度を下げることが可能となるため、有効な除湿方法である。そのため、施設園芸においては、換気除湿又はこれと暖房除湿等の組み合わせを行うことが有効である。
【０００５】
ここで、温室の暖房及び除湿を行う温室制御装置として、温室の温度及び湿度を検出し、これら温度及び湿度を基に暖房及び換気除湿を制御する温室制御装置が知られている（例えば、特許文献１参照）。
【特許文献１】特許第２９０６３３０号公報
【発明の開示】
【発明が解決しようとする課題】
【０００６】
ところで、上記特許文献１記載の温室制御装置は、温室の温度及び湿度を検出しているため、温度測定器に加え、湿度測定器を温室に配置しなければならない。この湿度測定器は、一般的に高価であるため、設置に多くのコストがかかるという問題が生じる。
【０００７】
また、上記特許文献１記載の温室制御装置は、温室の温度及び湿度を基に暖房及び除湿を制御しているため、制御が複雑なものとなって温室制御装置が高価になり、この点からも多くのコストがかかる上に、制御の複雑さに伴い、温室制御装置の操作が複雑になるという問題もある。
【０００８】
本発明の課題は、上記従来の問題に鑑み、簡単な構成で温室の除湿を制御する温室制御装置を提供することである。
【課題を解決するための手段】
【０００９】
上記課題を解決するために、本発明の温室制御装置は、温室を暖房する暖房手段と、上記温室を換気する換気手段とを制御する温室制御装置において、上記暖房手段の暖房により上昇する上記温室の温度が、設定された暖房上限温度に達したとき、上記換気手段により上記温室を換気させ除湿すると共に、上記暖房手段による暖房が続行している場合にはこの暖房を停止させ、上記換気手段の換気により下降する上記温室の温度が、設定された換気停止温度に達したとき、上記換気手段による換気を停止させる構成とする。
【００１０】
また、上記換気手段は、上記温室の壁面の一部を開放させることにより上記温室を換気させ除湿する構成とするとよい。
また、上記温室制御装置は、上記温室の壁面の一部の開放度合い（例えば、０〜１００％）を設定可能である構成とするとよい。
【００１１】
また、上記温室は、その内部に設けられた仕切部によって、上記暖房手段により暖房される暖房領域と、上記暖房手段により暖房されない非暖房領域とに仕切られ、上記暖房手段の暖房により上昇する上記暖房領域の温度が、上記暖房上限温度に達したとき、上記換気手段により上記仕切部を開放させ（この仕切部の開放は、暖房領域の換気であり、即ち、温室の換気である。）上記暖房領を除湿すると共に、上記暖房手段による暖房が続行している場合にはこの暖房を停止させ、上記仕切部の開放により下降する上記暖房領域の温度が、上記換気停止温度に達したとき、上記仕切部の開放を停止させる構成としてもよい。
【００１２】
また、上記温室制御装置は、上記仕切部を開放させる際に上記温室の壁面の一部をも開放させることにより、上記暖房領域を除湿する構成とするとよい。
また、上記温室制御装置は、上記仕切部の開放度合い（例えば、０〜１００％）を設定可能である構成とするとよい。
【発明の効果】
【００１３】
本発明では、暖房手段の暖房により上昇する温室の温度が、設定された暖房上限温度に達したとき、換気手段により温室を換気させ除湿すると共に、暖房手段による暖房が続行している場合には暖房を停止させるよう構成されている。そのため、温室の温度が暖房上限温度に達したときの換気手段の換気除湿により、温室の温度を下げるのに加え、温室の除湿をも行うことができる。したがって、温室の湿度を測定することなく温室の湿度を調整することができ、湿度測定器及びその測定湿度に基づく複雑な制御が不要となると共に、温室制御装置の操作も容易になる。よって、本発明によれば、簡単な構成で温室の除湿を制御することができる。
【発明を実施するための最良の形態】
【００１４】
以下、本発明の実施の形態に係る温室制御装置について、図面を参照しながら説明する。
図１は、本発明の一実施の形態に係る温室制御装置を配置した温室を示す概略図である。
【００１５】
同図において、温室制御装置１は、温室２に配置された暖房手段としてのバーナ３、及び、換気手段としての天窓駆動部４を、温度測定器５による測定温度に基づき制御している。
【００１６】
詳しくは後述するが、天窓駆動部４は、温室制御装置１の制御によって、温室２の壁面の一部としての天窓２ａ，２ｂを開閉可能となっており、天窓２ａ，２ｂの開放度合いは、例えば０〜１００％の間で設定可能となっている。なお、開放度合いを０％に設定した場合には、天窓駆動部４による天窓２ａ，２ｂの開放は行われず、開閉度合いを１００％に設定した場合には、天窓２ａ，２ｂは全開に開放される。温度測定器５は、同図では１つのみ示しているが、複数配置して温室２の平均温度を求めるようにしてもよい。
【００１７】
以下、図２及び図３を参照しながら、温室制御装置１の制御について説明する。
図２は、上記温室制御装置の制御を示す概略フローチャートである。
図３は、上記温室の温度及び湿度並びにこれらの制御の一例を示すグラフである。
【００１８】
図２に示すように、始動した温室制御装置１は（ＳＴＡＲＴ）、設定された暖房開始条件になると（Ｓ１）、バーナ３の暖房を開始させる（Ｓ２）。この暖房開始条件は、本実施の形態では、サイクル時間及び暖房開始温度の２つで設定されている。
【００１９】
上記のサイクル時間は、バーナ３の暖房を間欠的に開始させる時間間隔であり、ここでは５０分に設定され、図３に示すように、１７時００分（Ｔ１）、１７時５０分（Ｔ６）、１８時４０分（Ｔ１２）において、バーナ３の暖房を開始させている。また、上記の暖房開始温度は、ここでは２０℃に設定され、温室２の温度が２０℃となった時刻Ｔ４、Ｔ１０及びＴ１６においてもバーナ３の暖房を開始させている。なお、暖房が開始されると、温室２の温度が上昇するため、図３に示すように、水分量に変化がなくても相対湿度を下げることができる。
【００２０】
そして、暖房開始により温室２の温度が１℃上昇すると（Ｓ３）、図３に示す時刻Ｔ５、Ｔ７、Ｔ１１、Ｔ１３及びＴ１７のように、バーナ３による暖房を停止させる（Ｓ４）。その後、暖房の余熱（暖房停止後の一定時間の運転或いはバーナ３自体からの放熱）により上昇した温室２の温度が暖房上限温度の２２℃に達すると（Ｓ５）、図３に示す時刻Ｔ８及びＴ１４のように、天窓駆動部４により天窓２ａ，２ｂを開放させて換気除湿を開始させる（Ｓ６）。この際の天窓２ａ，２ｂは、温室制御装置１に設定された上述の開放度合いに基づいて開放される。
【００２１】
そして、天窓２ａ，２ｂを開放させることにより（Ｔ８及びＴ１４）、温室２内の水分量が下がり、相対湿度も低下する。なお、温室２の温度が暖房上限温度の２２℃に達しない場合には、天窓２ａ，２ｂの開放による換気を行わない。
【００２２】
一方、サイクル時間により暖房開始となった際に、温室２の温度が１℃上昇する前に（Ｓ３）、温室２の温度が暖房上限温度の２２℃に達した場合（Ｓ７）、図３に示す時刻Ｔ２のように、バーナ３による暖房を停止させると共に、上述の開放度合いに基づき天窓駆動部４により天窓２ａ，２ｂを開放させて換気除湿を開始させる（Ｓ８）。
【００２３】
天窓駆動部４により天窓２ａ，２ｂを開放させて換気を行った場合（Ｓ６，Ｓ８）、温室２の温度が、ここでは２１℃に設定された換気停止温度になると（Ｓ９）、図３に示す時刻Ｔ３、Ｔ９及びＴ１５のように、天窓駆動部４により天窓２ａ，２ｂの開放を停止させる（Ｓ１０）。
【００２４】
以上説明した本実施の形態では、バーナ３の暖房により上昇する温室２の温度が、暖房上限温度として設定された２２℃に達したとき（Ｓ５，Ｓ７）、天窓駆動部４により天窓２ａ，２ｂを開放させて温室２を換気除湿させると共に（Ｓ６，Ｓ８）、バーナ３による暖房が続行している場合（Ｔ２）にはバーナ３による暖房を停止させている。そのため、温室２の温度が暖房上限温度の２２℃に達したときの温室２の換気除湿により、温室２の温度を下げるのに加え、温室２の除湿をも行うことができる。したがって、温室２の湿度を測定することなく温室２の湿度を調整することができ、湿度測定器及びその測定湿度に基づく複雑な制御が不要となると共に、温室制御装置１の操作も容易となる。よって、本実施の形態によれば、簡単な構成で温室２の暖房及び除湿を制御することができる。
【００２５】
また、本実施の形態では、温室２の壁面の一部としての天窓２ａ，２ｂを開放させることにより温室２の換気を行っているため、外気を取り入れて有効に温室２の温度及び湿度を調整することができる。
更に、本実施の形態では、天窓２ａ，２ｂ（壁面の一部）の開放度合いが設定可能となっているため、温室制御装置１が配置される温室２毎に、所望の条件で除湿をすることができる。
【００２６】
なお、以上説明した温室２の温度及び換気除湿の制御は、あくまで一例であり、暖房サイクル（５０分）、暖房開始温度（２０℃）、暖房上限温度（２２℃）、暖房停止条件（１℃上昇）、換気停止温度（２１℃）等の値は、適宜設定されればよい。
【００２７】
また、本実施の形態では、高湿度となりやすい夕方の時間帯（１６時５０分〜１９時１０分）を例にとり説明を行ったが、その他の時間帯に上述の温室制御装置１による除湿を行うことも有効であり、また、２以上の時間帯（即ち、互いに連続しない時間帯）において上述の除湿を行わせてもよい。
【００２８】
図４は、本発明の他の実施の形態に係る温室制御装置を配置した配置した温室を示す概略図である。
【００２９】
同図において、温室制御装置１１は、温室１２に配置された暖房手段としてのバーナ１３、及び、換気手段としてのカーテン駆動部１７を、温度測定器１５による測定温度等に基づき制御している。
【００３０】
具体的には、温室１２は、その内部に設けられた仕切部としてのカーテン１６によって、バーナ１３により暖房される暖房領域１８と、暖房されない非暖房領域１９とに仕切られている。カーテン駆動部１７は、温室制御装置１１の制御によって、仕切部としてのカーテン１６を開閉可能となっており、カーテン１６の開放度合いは、例えば０〜１００％の間で設定可能となっている。なお、開放度合いを０％に設定した場合には、カーテン駆動部１７によるカーテン１６の開放は行われず、開放度合いを１００％に設定した場合は開閉可能面（例えば、上面のみ若しくは側面のみ、又は、これらを含んだ全面）全てにおいて開放が行われる。温度測定器１５は、暖房領域１８に配置されている。温室制御装置１１の制御は、上記実施の形態と同様であるので、説明を省略する。
【００３１】
本実施の形態によっても、暖房領域１８の温度が暖房上限温度に達したときのカーテン駆動部１７によるカーテン１６の開放により、暖房領域１８と非暖房領域１９との間の換気除湿（即ち、温室１２の換気除湿）が行われて、暖房領域１８の温度を下げるのに加え、暖房領域１８の除湿をも行うことができる。したがって、暖房領域１８の湿度を測定することなく暖房領域１８の湿度を調整することができ、湿度測定器及びその測定湿度に基づく複雑な制御が不要となると共に、温室制御装置１１の操作も容易となる。よって、本実施の形態によれば、簡単な構成で暖房領域１８（温室１２）の暖房及び除湿を制御することができる。
【００３２】
また、本実施の形態では、カーテン１６（仕切部）の開放度合いが設定可能となっているため、温室制御装置１１が配置される温室１２毎に、所望の条件で除湿をすることができる。
【００３３】
なお、図５に示す変形例のように、図１に示すのと同様の天窓２２ａ，２２ｂ及び天窓駆動部２４を配置し、カーテン２６の開放と共に天窓２２ａ，２２ｂを開放させて暖房領域２８の換気を行うようにしてもよい。
【００３４】
図５に示す温室制御装置２１によれば、温室２２に外気を取り入れることができ、図４に示す温室制御装置１１よりも有効に暖房領域１８の換気除湿を行うことができる。
【図面の簡単な説明】
【００３５】
【図１】本発明の一実施の形態に係る温室制御装置を配置した温室を示す概略図である。
【図２】上記温室制御装置の制御を示す概略フローチャートである。
【図３】上記温室の温度及び湿度並びにこれらの制御の一例を示すグラフである。
【図４】本発明の他の実施の形態に係る温室制御装置を配置した温室を示す概略図である。
【図５】上記他の実施の形態の変形例に係る温室制御装置を配置した温室を示す概略図である。
【符号の説明】
【００３６】
１      温室制御装置
２      温室
２ａ，２ｂ      天窓
３      バーナ
４      天窓駆動部
５      温度測定器
１１      温室制御装置
１２      温室
１３      バーナ
１５      温度測定器
１６      カーテン
１７      カーテン駆動部
１８      暖房領域
１９      非暖房領域
２１      温室制御装置
２２      温室
２２ａ，２２ｂ      天窓
２３      バーナ
２４      天窓駆動部
２５      温度測定器
２６      カーテン
２７      カーテン駆動部
２８      暖房領域
２９      非暖房領域
【図１】
2008113618.tif 000003
【図２】
2008113618.tif 000004
【図４】
2008113618.tif 000005
【図５】
2008113618.tif 000006
【図３】
2008113618.tif 000007